(57)【要約】【課題】断熱パネルとサッシの接続強度を高め施工性を高めようとするものである。【解決手段】ＲＣ用アルミサッシの上枠４と左右の竪枠５にアルミの形材６を組み込みその部分とアルミサッシの下枠７に断熱パネル１１が嵌め込みしやすいアルミ形材８を更にかみ合わせて締め付けビス９にて固定し断熱パネル１１と同時に施工する。【選択図】  図３
2006274694.tif 000002
【特許請求の範囲】
【請求項１】
ＲＣ用アルミサッシの上枠と左右の竪枠にアルミの形材を組み込みその部分とアルミサッシの下枠に断熱パネルが嵌め込みしやすいアルミ形材を更にかみ合わせて締め付けビスにて固定し断熱パネルと同時に施工することを特徴とした断熱パネル用のサッシ窓枠。
【請求項２】
ＲＣ用アルミサッシの下枠に断熱パネルが嵌め込みしやすいアルミ形材を嵌め込み締め付けビスにて固定し断熱パネルと同時に施工することを特徴とした断熱パネル用のサッシ窓枠。
【請求項３】
断熱パネルの開口部に外側から請求項１又は２によるサッシを嵌め込み内側から後付けのアルミ目板を取付けることを特徴とした断熱パネル用のサッシ窓枠。
【請求項４】
鉄骨用アルミサッシの上枠を一部カットしたところへ断熱パネルを嵌め込み同時に施工することを特徴とした断熱パネル用のサッシ窓枠。
【請求項５】
鉄骨用アルミサッシの上枠と左右の竪枠に断熱パネルが嵌め込みしやすいようにアルミアングルを取付けして断熱パネルと同時に施工することを特徴とした断熱パネル用のサッシ。
【請求項６】
強度を更に増すため請求項１又は２によるサッシにアルミやスチールなどの補強材を更にかみ合わせて断熱パネルと同時に施工することを特徴とした断熱パネル用のサッシ窓枠。
【請求項７】
水密シール部を設けたことを特徴とする請求項１〜４に記載した断熱パネル用のサッシ窓枠。
【請求項８】
アルミサッシの竪枠にメーカー規格品のアルミ方立を組み合わせて断熱パネルが嵌め込みしやすいようにもう一方にアルミ形材を取付けて強度をよりますことを特徴とした断熱パネル用のサッシ窓枠。
【請求項９】
メーカーのアルミ額縁と連結できるアルミ額縁を取付け自由自在に幅を変更できることを特徴としたアルミ額縁。
【請求項１０】
補強材入りの断熱パネルを利用してある一定の箇所で補強材を切断しその補強材を利用してアルミサッシを止めつけることを特徴とした断熱パネル用のサッシ窓枠。
【発明の詳細な説明】
【技術分野】
【０００１】
本発明は、断熱パネルとサッシの接続強度を高め施工性を高めようとする技術に関するものである。
【背景技術】
【０００２】
従来は、図１に示すように鉄骨開口下地１を施工した上でそこに鉄骨用アルミサッシ２を取付けて断熱パネル３を施工していた。又、図２に示すように無胴縁施工の断熱パネル工法が増え始め鉄骨開口下地１をつくらずに断熱パネル３に直に鉄骨用アルミサッシ２を取付けていた。
【０００３】
【特許文献１】特開２００４−１９７３６５
【発明の開示】
【発明が解決しようとする課題】
【０００４】
ところで面積の大きいアルミサッシを取付ける場合鉄骨開口下地が必要となりそれにかかる鉄骨の材料費、作図費、施工費、施工中の足場費などのコストがかかった。又、アルミサッシそのものを断熱パネルに直接取付けてた場合断熱パネルのみでアルミサッシをもたせなければならく断熱パネルとアルミサッシ枠の接合部に強度不足と水密シールの問題が生じていた。
【０００５】
更に現在の断熱パネル工法では柱が大きいため内部側に壁を設けるとき２００以上の幅の額縁が必要となりその場合特注対応となりコストがかかる。
【０００６】
そこで本発明は、断熱パネルとアルミサッシの接合部の強度を増すためアルミ形材を用いて対応するものであり、鉄骨開口下地がなくても強度をもたせて断熱パネルに取付け、又、規格の額縁を利用しコストをおさえたアルミ額縁をつくることを課題とするものである。
【課題を解決するための手段】
【０００７】
請求項１においては、ＲＣ用アルミサッシの上枠４と左右の竪枠５にアルミの形材６を組み込みその部分とアルミサッシの下枠７に断熱パネル１１が嵌め込みしやすいアルミ形材８を更にかみ合わせて締め付けビス９にて固定し断熱パネル１１と同時に施工することを特徴とするものである。これにより断熱パネル１１に嵌め込みしやすいアルミ形材を用いることで外部側と内部側からビス１０などで強固に固定をすることができ、鉄骨開口下地がなくてもアルミの形材により断熱パネルとの接続強度を高めることができ、かつ断熱パネルと同時に施工することができより一層施工性がアップする。
【０００８】
請求項２においては、ＲＣ用アルミサッシの下枠７に断熱パネル１２が嵌め込みしやすいアルミ形材８を嵌め込み締め付けビス９にて固定し断熱パネル１１、１２と同時に施工することを特徴とするものである。これにより凸部のある断熱パネル１２を切断することなく、断熱パネルに嵌め込みしやすいアルミ形材８を用いることで外部側と内部側からビス１０などで強固に固定をすることができ、鉄骨開口下地がなくてもアルミの形材により断熱パネルとの接続強度を高めることができ、かつ断熱パネルと同時に施工することができより一層施工性がアップする。
【０００９】
請求項３においては、断熱パネル１１の開口部に外側から請求項１又は２によるサッシを嵌め込み内側から後付けのアルミ目板１３を取付けることを特徴とするものである。これによりアルミサッシを後付けで施工することも可能となり、鉄骨開口下地がなくてもアルミの形材により断熱パネルとの接続強度を高めることができる。
【００１０】
請求項４においては、鉄骨用アルミサッシの上枠１４を一部カットしたところへ断熱パネル１１を嵌め込み同時に施工することを特徴とするものである。この構成は鉄骨用アルミサッシを使用する場合にできることであり容易に断熱パネルと同時に施工することができる。
【００１１】
請求項５においては、鉄骨用アルミサッシの上枠１５と左右の竪枠１６に断熱パネル１１が嵌め込みしやすいようにアルミアングル１７を取付けして断熱パネルと同時に施工することを特徴とするものである。これによりアルミアングル１７と鉄骨用アルミサッシの枠のつばとで断熱パネルを挟み込むことができ外部側と内部側からビス１０などで強固に固定をすることで接続強度を高めることができる。
【００１２】
請求項６においては、強度を更に増すため請求項１又は２によるサッシにアルミやスチールなどの補強材を更にかみ合わせて断熱パネルと同時に施工することを特徴とするものである。アルミやスチール１８などの補強材を使うことでより一層の接続強度高めることができる。
【００１３】
請求項７においては、水密シール部１９を設けたことを特徴とするものである。これまで十分な水密性が確保できていなかったのでこれにより水密性を高めることができ、接続強度も増す。
【００１４】
請求項８においては、アルミサッシの竪枠２０にメーカー規格品のアルミ方立２１を組み合わせて断熱パネル１１が嵌め込みしやすいようにもう一方にアルミ形材８を取付けて強度をよりますことを特徴とするものである。これによりアルミサッシの竪枠部と断熱パネルとの接続強度を高めることもでき、新たな形材を用いなくても規格品を利用することでコストをおさえることができる。
【００１５】
請求項９においては、メーカーのアルミ額縁２２と連結できるアルミ額縁２３を取付け自由自在に幅を変更できることを特徴とするものである。断熱パネル工法で内装がある時壁厚が厚くなる場合があり規格品のアルミ額縁では幅に限度があり対応できないので連結できるアルミ額縁を使うことで幅に対応することができる。又、特注で作られる一体型のアルミ額縁に比べてコストダウンができる。
【００１６】
請求項１０においては、補強材２４入りの断熱パネル２５を利用して任意の箇所で補強材を切断しその補強材２４を利用してアルミサッシを止めつけることを特徴とするものである。鉄骨開口下地がなくても断熱パネルの補強材を利用することで強度も保てコストダウンができる。
【発明の効果】
【００１７】
請求項１においては、ＲＣ用アルミサッシの上枠と左右の竪枠にアルミの形材を組み込みその部分とアルミサッシの下枠に断熱パネルが嵌め込みしやすいアルミ形材を更にかみ合わせて締め付けビスにて固定し断熱パネルと同時に施工することから、断熱パネルに嵌め込みしやすいアルミ形材を用いることで外部側と内部側からビスなどで強固に固定をすることができ、鉄骨開口下地がなくてもアルミの形材により断熱パネルとの接続強度を高めることができ、かつ断熱パネルと同時に施工することができより一層施工性がアップするという利点がある。
【００１８】
請求項２においては、ＲＣ用アルミサッシの下枠に断熱パネルが嵌め込みしやすいアルミ形材を嵌め込み締め付けビスにて固定し断熱パネルと同時に施工することから、凸部のある断熱パネルを切断することなく、断熱パネルに嵌め込みしやすいアルミ形材を用いることで外部側と内部側からビスなどで強固に固定をすることができ、鉄骨開口下地がなくてもアルミの形材により断熱パネルとの接続強度を高めることができ、かつ断熱パネルと同時に施工することができより一層施工性がアップするという利点がある。
【００１９】
請求項３においては、断熱パネル１１の開口部に外側から請求項１又は２によるサッシを嵌め込み内側から後付けのアルミ目板１３を取付けることから、アルミサッシを後付けで施工することも可能となり、鉄骨開口下地がなくてもアルミの形材により断熱パネルとの接続強度を高めることができるという利点がある。
【００２０】
請求項４においては、鉄骨用アルミサッシの上枠を一部カットしたところへ断熱パネルを嵌め込み同時に施工することから、鉄骨用アルミサッシを使用する場合にできることであり容易に断熱パネルと同時に施工することができるという利点がある。
【００２１】
請求項５においては、鉄骨用アルミサッシの上枠と左右の竪枠に断熱パネルが嵌め込みしやすいようにアルミアングルを取付けして断熱パネルと同時に施工することから、アルミアングルと鉄骨用アルミサッシの枠のつばとで断熱パネルを挟み込むことができ外部側と内部側からビスなどで強固に固定をすることで接続強度を高めることができるという利点がある。
【００２２】
請求項６においては、強度を更に増すためＲＣ用アルミサッシの上枠と下枠と左右の竪枠にアルミの形材を嵌め込み断熱パネルが嵌め込みしやすいアルミ形材とスチールなどの補強材を更にかみ合わせて断熱パネルと同時に施工することから、スチールなどの補強材をいれることでより一層の接続強度高めることができるという利点がある。
【００２３】
請求項７においては、水密シール部を設けたことから、より水密性を高めることができ、接続強度も増すという利点がある。
【００２４】
請求項８においては、アルミサッシの竪枠にメーカー規格品のアルミ方立を組み合わせて断熱パネルが嵌め込みしやすいようにもう一方にアルミ形材を取付けて強度をよりますことから、アルミサッシの竪枠部と断熱パネルとの接続強度を高めることもでき、新たな形材を用いなくても規格品を利用することでコストをおさえることができるという利点がある。
【００２５】
請求項９においては、メーカーのアルミ額縁と連結できるアルミ額縁を取付け自由自在に幅を変更できることから、断熱パネル工法で内装がある時壁厚が厚くなる場合があり規格品のアルミ額縁では対応できないので連結できるアルミ額縁を使うことで幅を対応することができ、更に特注で作られる一体型のアルミ額縁に比べてコストダウンができるという利点がある。
【００２６】
請求項１０においては、補強材入りの断熱パネルを利用して任意の箇所で補強材を切断しその補強材を利用してアルミサッシを止めつけることを特徴とするものである。鉄骨開口下地がなくても断熱パネルの補強材を利用することで強度も保てコストダウンができる。
【発明を実施するための最良の形態】
【００２７】
以下に、本発明の実施の形態を添付図面に基づいて詳述する。
【実施例１】
【００２８】
図３においては、アルミサッシの上枠４と竪枠５にアルミ形材6を組み込みその部分とアルミ下枠７にアルミ形材８を嵌め込みそれぞれを締め付けビス９にて固定をし断熱パネル１１を躯体に取付けるのと同時に形材が嵌め込まれたアルミサッシを嵌め込む。そして外部側と内部側からビス１０にて断熱パネルとサッシを固定し最後に水密シール１９を施したものである。
【実施例２】
【００２９】
図４においては、取付けビス１０をボルト２８で納めたり内部にアルミ材をあてがい取付けビス１０にて一発で止めつける方法を示したものである。
【実施例３】
【００３０】
図５においては、アルミサッシの上枠４にアルミ形材６を組み込みその部分とアルミ下枠７にアルミ形材８を嵌め込みそれぞれを締め付けビス９にて固定をし断熱パネル１１を躯体に取付けるのと同時に形材が嵌め込まれたアルミサッシを嵌め込む。そして外部側と内部側からビス１０にて断熱パネルとサッシを固定し最後に水密シール１９を施したものである。
【実施例４】
【００３１】
図６においては、アルミサッシの上枠４にアルミ形材6を組み込みその部分とアルミ下枠７にアルミ形材８を嵌め込みそれぞれを締め付けビス９にて固定をしあらかじめ躯体に取付けられた断熱パネル１１の開口部分に形材が嵌め込まれたアルミサッシを嵌め込む。そして後付けのアルミ目板１３を取付けて外部側と内部側からビス１０にて断熱パネルとサッシを固定し最後に水密シール１９を施したものである。
【実施例５】
【００３２】
図７においては、鉄骨用アルミサッシを使用する場合断熱パネル１１が嵌め込みしやすいように上枠の一部をカットして断熱パネルを嵌め込む。
【実施例６】
【００３３】
図８においては、アルミサッシの上枠１５と竪枠１６にアルミアングル１７を取り付け断熱パネル１１を躯体に取付けるのと同時に先ほどのアルミサッシを嵌め込む。そして外部側と内部側からビス１０にて断熱パネルとサッシを固定し最後に水密シール１９を施したものである。
【実施例７】
【００３４】
図９、図１０、図１１においては、アルミサッシの上枠１５と竪枠１６にアルミ形材6を組み込みその部分とアルミ下枠７にアルミ形材８を嵌め込み更にアルミやスチール１８などの補強材も使いそれぞれを締め付けビス９にて固定をし断熱パネル１１を躯体に取付けるのと同時に形材が嵌め込まれたアルミサッシを嵌め込む。そして外部側と内部側からビス１０にて断熱パネルとサッシを固定し最後に水密シール１９を施したものである。
【実施例８】
【００３５】
図１３においては、規格のアルミ額縁２２と連結用のアルミ額縁２３を連結させることにより幅をいろいろつくるものである。
【実施例９】
【００３６】
図１４の左側の図においては、補強材２４入りの断熱パネル２５を示したものである。断熱パネルの連結部分には鉄板２６を入れビス２７にて固定するものである。
【００３７】
又、図１４の右側の図においては、補強材入りの断熱パネルを使いある箇所でパネルを切断してそこへアルミサッシを取り付けて納めるものである。
【図面の簡単な説明】
【００３８】
【図１】従来の工法を示す図面。
【図２】従来の工法を示す図面。
【図３】本発明の実施例を示した断面図。（実施例１）
【図４】本発明の実施例を示した断面図。（実施例２）
【図５】本発明の実施例を示した断面図。（実施例３）
【図６】本発明の実施例を示した斜視図。（実施例４）
【図７】本発明の実施例を示した断面図。（実施例５）
【図８】本発明の実施例を示した断面図。（実施例６）
【図９】本発明の実施例を示した断面図。（実施例６）
【図１０】本発明の実施例を示した断面図。（実施例６）
【図１１】本発明の実施例を示した断面図。（実施例７）
【図１２】方立補強材を示した断面図。
【図１３】アルミ額縁を示した断面図。（実施例８）
【図１４】本発明の実施例を示した断面図。（実施例９）
【符号の説明】
【００３９】
１  鉄骨開口下地
２  鉄骨用アルミサッシ
３  断熱パネル
４  ＲＣ用アルミサッシ上枠
５  ＲＣ用アルミサッシ竪枠
６  アルミ形材
７  ＲＣ用アルミサッシ下枠
８  アルミ形材
９  締め付けビス
１０  取り付けビスなど
１１  断熱パネル
１２  断熱パネル（カットしていないもの）
１３  アルミ後付け目板
１４  鉄骨用アルミサッシ上枠（つば部）
１５  鉄骨用アルミサッシ上枠
１６  鉄骨用アルミサッシ竪枠
１７  アルミアングル
１８  アルミやスチールなどの補強材
１９  水密シール
２０  アルミサッシ竪枠
２１  メーカー規格のアルミ連窓方立
２２  メーカー規格のアルミ額縁
２３  連結用アルミ額縁
２４  補強材
２５  断熱パネル
２６  鉄板
２７  ビス
２８  ボルト
２９  アルミ材
【図１】
2006274694.tif 000003
【図２】
2006274694.tif 000004
【図３】
2006274694.tif 000005
【図４】
2006274694.tif 000006
【図５】
2006274694.tif 000007
【図６】
2006274694.tif 000008
【図７】
2006274694.tif 000009
【図８】
2006274694.tif 000010
【図９】
2006274694.tif 000011
【図１０】
2006274694.tif 000012
【図１１】
2006274694.tif 000013
【図１２】
2006274694.tif 000014
【図１３】
2006274694.tif 000015
【図１４】
2006274694.tif 000016